【手続補正書】
【提出日】平成18年1月12日(2006.1.12)
【手続補正１】
【補正対象書類名】明細書
【補正対象項目名】発明の名称
【補正方法】変更
【補正の内容】
【発明の名称】コンテンツ合成装置、および、コンテンツ合成方法
【手続補正２】
【補正対象書類名】明細書
【補正対象項目名】特許請求の範囲
【補正方法】変更
【補正の内容】
【特許請求の範囲】
【請求項１】  コンテンツデータの合成について記述した合成スクリプトを含む第１のコンテンツデータ、および、第２のコンテンツデータの入力を受付ける入力受付手段と、
前記入力された第１のコンテンツデータに含まれる合成スクリプトに基づき、前記入力された第１のコンテンツデータを前記入力された第２のコンテンツデータと合成する合成処理手段とを備えた、コンテンツ合成装置。
【請求項２】  コンテンツデータの合成について記述した合成スクリプトの所在を示す所在情報を含む第１のコンテンツデータ、および、第２のコンテンツデータの入力を受付ける入力受付手段と、
前記入力された第１のコンテンツデータに含まれる所在情報が示す合成スクリプトを取得する取得手段と、
前記取得された合成スクリプトに基づき、前記入力された第１のコンテンツデータを前記入力された第２のコンテンツデータと合成する合成処理手段とを備えた、コンテンツ合成装置。
【請求項３】  前記第２のコンテンツデータの属性を判別する属性判別手段をさらに備え、
前記合成スクリプトは、コンテンツデータの複数の属性のそれぞれに対応するスクリプトを含み、
前記合成処理手段は、前記判別された属性に対応したスクリプトに基づき、前記入力された第１のコンテンツデータを前記入力された第２のコンテンツデータと合成する、請求項１または請求項２に記載のコンテンツ合成装置。
【請求項４】  現在時刻を取得する時刻取得手段をさらに備え、
前記合成スクリプトは、前記合成処理手段により合成される時刻に応じたスクリプトを含み、
前記合成処理手段は、前記取得された現在時刻に応じたスクリプトに基づき、前記入力された第１のコンテンツデータを前記入力された第２のコンテンツデータと合成する、請求項１または請求項２に記載のコンテンツ合成装置。
【請求項５】  前記コンテンツ合成装置の現在位置を取得する位置取得手段をさらに備え、
前記合成スクリプトは、位置に応じたスクリプトを含み、
前記合成処理手段は、前記取得された現在位置に応じたスクリプトに基づき、前記入力された第１のコンテンツデータを前記入力された第２のコンテンツデータと合成する、請求項１または請求項２に記載のコンテンツ合成装置。
【請求項６】  前記合成スクリプトは、他の合成スクリプトを含み、
前記合成されたコンテンツデータに前記他の合成スクリプトを含ませる付加手段をさらに備えた、請求項１または請求項２に記載のコンテンツ合成装置。
【請求項７】  前記合成スクリプトは、他の合成スクリプトの所在を示す所在情報を含み、
前記所在情報が示す他の合成スクリプトを取得する取得手段と、
前記合成されたコンテンツデータに前記取得された他の合成スクリプトを含ませる付加手段とをさらに備えた、請求項１に記載のコンテンツ合成装置。
【請求項８】  前記合成スクリプトは、他の合成スクリプトの所在を示す所在情報を含み、
前記取得手段は、前記所在情報が示す他の合成スクリプトをさらに取得し、
前記合成されたコンテンツデータに前記取得された他の合成スクリプトを含ませる付加手段をさらに備えた、請求項２に記載のコンテンツ合成装置。
【請求項９】  前記第１のコンテンツデータおよび前記第２のコンテンツデータは、アニメーションデータのコマを定義するキーフレームを含み、
前記合成スクリプトは、前記第２のコンテンツデータに含まれるキーフレームに含まれるデータを前記第１のコンテンツデータの所定のキーフレームに挿入することを記述したスクリプトを含む、請求項１または請求項２に記載のコンテンツ合成装置。
【請求項１０】  前記第１のコンテンツデータおよび前記第２のコンテンツデータは、アニメーションデータのコマを定義するキーフレームを含み、
前記合成スクリプトは、前記第２のコンテンツデータに含まれるキーフレームを前記第１のコンテンツデータの所定の箇所に追加することを記述したスクリプトを含む、請求項１または請求項２に記載のコンテンツ合成装置。
【請求項１１】  前記第１のコンテンツデータは、アニメーションデータのコマを定義するキーフレームを含み、
前記第２のコンテンツデータは、前記キーフレームに含むことが可能なデータであり、
前記合成スクリプトは、前記第１のコンテンツデータのキーフレームに含まれる所定のデータを前記第２のコンテンツデータに変更することを記述したスクリプトを含む、請求項１または請求項２に記載のコンテンツ合成装置。
【請求項１２】  前記合成スクリプトは、前記第１のコンテンツデータの所定の部分を削除することを記述したスクリプトを含む、請求項１または請求項２に記載のコンテンツ合成装置。
【請求項１３】  コンピュータでコンテンツデータを合成するコンテンツ合成方法であって、
合成スクリプトを含む第１のコンテンツデータ、および、第２のコンテンツデータの入力を受付けるステップと、
前記入力された第１のコンテンツデータに含まれる合成スクリプトに基づき、前記入力された第１のコンテンツデータを前記入力された第２のコンテンツデータと合成するステップとを含む、コンテンツ合成方法。
【手続補正３】
【補正対象書類名】明細書
【補正対象項目名】０００１
【補正方法】変更
【補正の内容】
【０００１】
【発明の属する技術分野】
本発明は、コンテンツ合成装置、および、コンテンツ合成方法に関し、特に、コンテンツデータを合成するのに適したコンテンツ合成装置、および、コンテンツ合成方法に関する。
【手続補正４】
【補正対象書類名】明細書
【補正対象項目名】０００６
【補正方法】変更
【補正の内容】
【０００６】
この発明は上述の問題点を解決するためになされたもので、この発明の目的の１つは、コンテンツデータ側から合成処理を制御することが可能なコンテンツ合成装置、および、コンテンツ合成方法を提供することである。
【手続補正５】
【補正対象書類名】明細書
【補正対象項目名】０００７
【補正方法】変更
【補正の内容】
【０００７】
この発明の他の目的は、コンテンツデータの合成に必要な合成スクリプトを新たに用意する必要がないコンテンツ合成装置、および、コンテンツ合成方法を提供することである。
【手続補正６】
【補正対象書類名】明細書
【補正対象項目名】００３４
【補正方法】削除
【補正の内容】
【手続補正７】
【補正対象書類名】明細書
【補正対象項目名】００３５
【補正方法】削除
【補正の内容】
【手続補正８】
【補正対象書類名】明細書
【補正対象項目名】００３６
【補正方法】削除
【補正の内容】
【手続補正９】
【補正対象書類名】明細書
【補正対象項目名】００３７
【補正方法】削除
【補正の内容】
【手続補正１０】
【補正対象書類名】明細書
【補正対象項目名】００３８
【補正方法】削除
【補正の内容】
【手続補正１１】
【補正対象書類名】明細書
【補正対象項目名】００３９
【補正方法】削除
【補正の内容】
【手続補正１２】
【補正対象書類名】明細書
【補正対象項目名】００４０
【補正方法】削除
【補正の内容】
【手続補正１３】
【補正対象書類名】明細書
【補正対象項目名】００４１
【補正方法】削除
【補正の内容】
【手続補正１４】
【補正対象書類名】明細書
【補正対象項目名】００４２
【補正方法】削除
【補正の内容】
【手続補正１５】
【補正対象書類名】明細書
【補正対象項目名】００４３
【補正方法】削除
【補正の内容】
【手続補正１６】
【補正対象書類名】明細書
【補正対象項目名】００４４
【補正方法】削除
【補正の内容】
【手続補正１７】
【補正対象書類名】明細書
【補正対象項目名】００４５
【補正方法】削除
【補正の内容】
【手続補正１８】
【補正対象書類名】明細書
【補正対象項目名】００４６
【補正方法】削除
【補正の内容】
【手続補正１９】
【補正対象書類名】明細書
【補正対象項目名】００４７
【補正方法】削除
【補正の内容】